(57)【要約】【課題】無線通信ネットワークに依存することなく、音声を録音、格納および／または転送することができる携帯電話およびその方法を提供する。【解決手段】本発明は、録音された音声を格納することができる携帯電話、およびその携帯電話を動作させる方法を提供する。一実施形態では、無線携帯電話で録音された音声を処理するための本発明の方法は、音声信号を録音し、その音声信号を録音音声として無線携帯電話の内部メモリおよび取出し可能なメモリユニットのうちの少なくとも１つに格納することと、その後、録音音声を無線携帯電話から外部の対象となる装置に電子情報として転送することとを含む。【選択図】　図１
2004088762.tif 000002
【特許請求の範囲】
【請求項１】
無線携帯電話であって、
単一のハウジングを有し、該ハウジングは、
無線電気通信機構と、
音声信号を録音するように構成され、該音声信号を録音音声として格納するように構成され、該録音音声を外部の対象となる装置に直接転送するように構成されるオーディオレコーダとを備え、該オーディオレコーダは録音音声を格納するために、原子分解能記憶ユニットおよび磁気ランダムアクセスメモリユニットのうちの少なくとも１つを含む不揮発性メモリユニットを含む無線携帯電話。
【請求項２】
無線携帯電話であって、
前記オーディオレコーダは録音音声転送モニタを備え、該録音音声転送モニタは、
短距離無線通信、無線ネットワーク通信、有線直接通信、および取り外し可能記憶媒体による転送のうちの少なくとも１つを含む転送経路を選択するように構成される転送セレクタと、
ユーザ、前記メモリユニット、電話会議、および多数ユーザ環境のうちの少なくとも１つから前記音声入力信号の音声源を選択するように構成される音声源セレクタと、
音声信号を録音する機能、録音音声を再生する機能、録音音声を消去する機能、および録音音声を格納する機能のうちの少なくとも１つを選択するように構成される録音機能と
のうちの少なくとも１つを含む請求項１に記載の無線携帯電話。
【請求項３】
無線携帯電話であって、
前記録音音声転送モニタは、
第２の無線携帯電話、コンピューティング装置、ボイスメールシステム、個人情報端末、人手による転記場所、音声認識トランスクライバおよびウエブサイトの装置のうちの少なくとも１つを含む前記外部の対象となる装置を選択するように構成される対象装置セレクタを含む請求項１に記載の無線携帯電話。
【請求項４】
無線携帯電話であって、
前記原子分解能記憶素子は、
複数の電子エミッタと、媒体区画を有する媒体と、複数の超小型可動子とを含み、該超小型可動子はそれぞれ、前記媒体においてデータの読出しおよび書き込みを行うために、１つあるいは複数の前記電子エミッタに対して１つの媒体区画を動かすように独立して動作することができる請求項１に記載の無線携帯電話。
【請求項５】
無線携帯電話であって、
前記磁気ランダムアクセスメモリ記憶素子はメモリセルのアレイを含み、該メモリセルは、
変更可能な磁化を有する磁気薄膜のデータ記憶層と固定された磁化を有する磁気薄膜の基準層とを含み、前記メモリセルの行に沿って延在する複数の導電性ワード線と前記メモリセルの列に沿って延在する複数の導電性ビット線とを含む請求項１に記載の無線携帯電話。
【請求項６】
無線携帯電話であって、
前記携帯電話から外部の対象となる装置にデジタル録音音声を電子情報として転送するための手段を含む請求項１に記載の無線携帯電話。
【請求項７】
無線携帯電話であって、
前記無線携帯電話は前記音声信号を受信するための音声入力を含み、前記オーディオレコーダは、前記デジタル録音音声を格納するために、内部メモリユニットおよび取出し可能記憶媒体のうちの少なくとも１つを含む請求項６に記載の無線携帯電話。
【請求項８】
無線携帯電話であって、
前記ファイルを電子情報として転送するための手段は、
デジタル録音のための前記手段から前記外部の対象となる装置に前記デジタル録音音声を無線で転送するように構成される無線トランシーバを含む前記無線電気通信機構と、
デジタル録音のための前記手段から前記外部の対象となる装置に前記ファイルを直接転送するように構成される直接接続リンクと、
格納するための手段から取り出されるように構成され、前記外部の対象となる装置に挿入されるように構成される、前記デジタル録音音声を格納するための手段の取出し可能記憶媒体とのうちの少なくとも１つを含む請求項６に記載の無線携帯電話。
【請求項９】
請求項１ないし８のいずれか一項に記載の無線携帯電話を用いる方法であって、該方法は、
音声信号を録音し、該音声信号を録音音声として無線携帯電話の内部メモリおよび取出し可能メモリユニットのうちの少なくとも１つに格納することと、
前記録音音声ファイルを前記無線携帯電話から外部の対象となる装置に電子情報として転送することとを含む方法。
【請求項１０】
前記電子情報として転送することは、
前記録音された音声信号を、
前記録音音声を格納し、かつ電子工学的処理によって転記するように構成される音声認識トランスクライバと、
前記録音音声を人手で転記するために前記録音音声を格納し、かつ再生するように構成される転記場所と、
前記録音音声を格納し、かつ再生するように構成されるボイスメールシステムとのうちの少なくとも１つに無線で転送することを含み、
前記音声信号を録音することは、
メモリユニットを前記無線携帯電話に取出し可能に挿入し、前記メモリユニットに前記録音音声を格納することを含み、
前記録音音声を電子情報として転送することは、
前記無線携帯電話から前記メモリユニットを取り出し、前記メモリユニットを前記外部の対象となる装置に挿入することを含む請求項９に記載の方法。
【発明の詳細な説明】
【０００１】
【発明の属する技術分野】
本発明は携帯電話に関し、特に録音音声能力を有する携帯電話に関する。
【０００２】
【従来の技術】
携帯電話は情報化時代の主要商品になっている。携帯電話を利用して、いつでもどこでも連絡をとることができる。携帯電話とともに、通信を制御するために、ラップトップコンピュータ、ポケベル、および無数の他の装置も用いられる。携帯電話によって、無線電気通信ネットワークを介して、ならびにインターネットおよび他のネットワークを通して通信できるようになる。顧客の要望によって、携帯電話は、他の装置と同じように、より小型で、より強力で、しかも電子メールおよび双方向メッセージのような、さらに多くの機能を有することが求められている。当然、これらの機能のいくつかは、携帯電話の外部にあるネットワーク設備を通して提供されるボイスメールのように、携帯電話の無線電気通信ネットワークが対応することを通してのみ可能になる。
【０００３】
技術革新の一部として、コンピュータのためのワードプロセッシングにおいて音声／テキスト変換能力を可能にするために、音声認識技術が徐々に発展してきた。しかしながら、音声認識技術の発展の進み具合は、音声認識ソフトウエアを実装するために用いられるメインフレームおよびデスクトップコンピュータのメモリ容量および処理能力の発展に密接に関連している。多くの場合に、この発展はあまりにも遅くなっている。
【０００４】
ハンドヘルド装置が急増し、その機構が高度化しているにもかかわらず、携帯電話には、デスクトップコンピュータによって実行される、より進んだコンピューティング機能を処理するためのメモリおよび能力が絶えず不足している。このような欠点のために、携帯電話はその無線電気通信ネットワークに完全に依存したままであり、携帯電話によって提供される機能の数およびタイプは限定されている。
【０００５】
【発明が解決しようとする課題】
本発明の目的は、無線通信ネットワークに依存することなく、音声を録音、格納および／または転送することができる携帯電話およびその方法を提供することである。
【０００６】
【課題を解決するための手段】
本発明は、録音された音声を格納することができる携帯電話、およびその携帯電話を動作させる方法を提供する。一実施形態では、無線携帯電話で録音された音声を処理するための本発明の方法は、音声信号を録音し、その音声信号を録音音声として無線携帯電話の内部メモリおよび取出し可能なメモリユニットのうちの少なくとも１つに格納することと、その後、録音音声を無線携帯電話から外部の対象となる装置に電子情報として転送することとを含む。
【０００７】
【発明の実施の形態】
好適な実施形態の以下に記載される詳細な説明では、その一部を構成し、本発明が実施される場合がある特定の実施形態が例示される添付の図面が参照される。本発明の範囲から逸脱することなく、他の実施形態が用いられる場合があること、および構造的あるいは論理的変更がなされる場合があることは理解されたい。それゆえ、以下に記載される詳細な説明は限定する意味にとられるべきではなく、本発明の範囲は併記特許請求の範囲によって規定される。
【０００８】
本発明の構成要素は所与の装置内に、マイクロプロセッサ、プログラマブルロジック、あるいは状態機械を用いてハードウエアで、あるいはファームウエアで、あるいはソフトウエアで実装される場合がある。一態様では、ソフトウエアプログラミングの少なくとも一部はウエブを利用し、ウインドウズ系オペレーティングシステムのような、グラフィカル・ユーザ・インターフェースへのリンクを含む、ＨＴＭＬおよびＪＡＶＡプログラミング言語において書かれる。その構成要素は、通信バスプロトコルを用いてネットワーク経由で通信する場合がある。たとえば、本発明は、データ転送のために適したＴＣＰ／ＩＰプロトコルを用いる場合があるが、用いなくてもよい。本発明とともに用いるのに適した他のプログラミング言語および通信バスプロトコルは、本特許出願を読んだ後に当業者には明らかになるであろう。本発明の構成要素は、１つあるいは複数のコンピュータ読取り可能媒体上にあるソフトウエア内に存在する場合がある。本明細書において用いられるような用語「コンピュータ読取り可能媒体」は、フレキシブルディスク、ハードディスク、ＣＤ−ＲＯＭ、フラッシュメモリ、リードオンリーメモリ（ＲＯＭ），ランダムアクセスメモリ（ＲＡＭ）のような、任意の揮発性あるいは不揮発性メモリを含むように定義される。
【０００９】
本明細書に記載される、ウエブブラウザのようなユーザインターフェースは、１つあるいは複数の応用形態に対応することができるオペレーティングシステムを有するコントローラ、コンピュータ、電気機器あるいは他の装置上で動作することが好ましい。オペレーティングシステムはメモリに格納され、プロセッサ上で動作する。オペレーティングシステムは、多数のアプリケーションを同時に実行できるようにするマルチタスクオペレーティングシステムであることが好ましいが、本発明の態様はシングルタスクオペレーティングシステムを用いて実装される場合がある。オペレーティングシステムは、「ウインドウ」と呼ばれる表示画面のうちの特に画定されたエリア内にアプリケーションあるいはドキュメントを提供するグラフィカル・ユーザ・インターフェースウインドウ環境を用いる。オペレーティングシステムは、キーボードおよび／またはマウスのような入力装置を介して動的なデータフィールド位置においてデータを入力あるいは選択できるようにするウインドウ機能を用いる動的表示装置を含むことが好ましい。好適な一オペレーティングシステムは、マイクロソフト社によって市販されるＷｉｎｄｏｗｓ（登録商標）ブランドオペレーティングシステムである。しかしながら、ＬＩＮＵＸ、ＵＮＩＸ、ならびにアップル社あるいはＩＢＭ社から市販されるオペレーティングシステムのような、ウインドウ環境を提供する他のオペレーティングシステムが用いられる場合もある。別の実施形態では、オペレーティングシステムはウインドウ環境を利用しない。
【００１０】
本発明のシステムおよび方法は、無線携帯電話を用いて、携帯電話内で録音音声を録音し、録音音声を格納して、その後、さらに記憶、再生および／または転記するために外部の対象となる装置に電子情報として転送することを含む。無線携帯電話のメモリユニットは、低電力、小さなフォームファクタで大きな記憶容量を有し、無線携帯電話が大きな録音音声ファイルを格納できるようにし、それにより、その電気通信機能に加えて、ボイスレコーダとして利用できるようにするだけの十分な記憶容量を確保する。さらに、無線電気通信機能および／または取出し可能記憶媒体の取出し可能な機構を用いるとき、録音音声は、記憶、再生、転記等のために、無線携帯電話から外部の対象となる装置に転送することができる。専用のボイスレコーダ（たとえば、ディクタフォン）の機構と無線携帯電話の機構とを単一のユニットに組み合わせることにより、２つの個別のハンドヘルド装置を所持する必要がなくなり、デジタル録音音声の可搬性が直ちに高められる。
【００１１】
図１に示されるように、本発明の例示的な一実施形態では、録音音声転送システム１０は、無線携帯電話１２と、コンピューティング装置１４と、インターネットリンク１８を含むネットワーク通信リンク１６と、取出し可能記憶媒体２０とを備える。無線携帯電話１２は、ユーザインターフェース３０と、音声入力３１（たとえば、マイクロフォン）と、コントローラ３２と、無線トランシーバ３３と、オーディオレコーダ３４と、オプションの音声認識モジュール６０とを備える。ユーザインターフェース３０は、表示装置４０と、キーパッド４４を備えるコントロールパネル４２とを含む。オーディオレコーダ３４は録音音声３６を格納し、Ａ／ＤおよびＤ／Ａコンバータ５０と、内部メモリ５２と、取出し可能記憶媒体２０を収容するためのメモリスロット５８とを含む。内部メモリ５２は、原子分解能記憶素子５４、磁気ランダムアクセスメモリ（ＭＲＡＭ）素子５６、あるいは別の大容量、低電力、小フォームファクタの不揮発性メモリユニットを含む。
【００１２】
コンピューティング装置１４は、表示装置６５およびキーパッド６６を含むユーザインターフェース６４と、コントローラ６７と、取出し可能記憶媒体２０を収容するためのスロット７０を有するメモリ６８とを備える。コンピューティング装置１４はさらに、無線トランシーバ３３と、オプションの転記機能７４を含む音声認識モジュール７２とを備える。
【００１３】
無線携帯電話１２およびコンピューティング装置１４は、無線リンク７６、直接リンク７８、および／またはネットワーク通信リンク１６を介して互いに通信することができる。さらに、録音音声３６のようなデータは、取出し可能記憶媒体２０を介して、無線携帯電話１２とコンピューティング装置１４との間で転送可能である。
【００１４】
無線携帯電話１２は、限定はしないが、ユーザインターフェース３０、コントローラ３２、および無線トランシーバ３３を含む、無線電気通信装置として機能するために必要とされる全ての構成要素を含むものとみなされる。本発明の実施形態では、無線携帯電話１２はさらに、音声信号を録音し、音声信号を録音音声として無線電話１２に記憶するための音声録音機構として機能するオーディオレコーダ３４を含む。
【００１５】
無線携帯電話１２のユーザインターフェース３０は、コントロールパネル４２およびキーパッド４４を用いて起動される、メニュー方式で選択された無線携帯電話１２の機能を視認するための表示装置４０を含むグラフィカル・ユーザ・インターフェースを備えることが好ましい。たとえば、キーパッド４４は、電話番号をダイヤルする、電子メールアドレスを入力するなどを実行するためのアルファニューメリックキーパッドを含む。コントロールパネル４２は、録音開始、録音停止のような、無線携帯電話１２の音声録音機構および録音音声転送機能を制御することを目的とする、キーパッド４４の指定された部分を含むことが好ましい。ユーザインターフェース３０は、オプションでは、録音音声および録音音声転送機能を操作する際に用いるためのタッチスクリーンおよび／またはポインティング装置を含む。
【００１６】
また無線携帯電話１２のユーザインターフェース３０は、オプションでは、コントローラ３２と協動して、無線携帯電話１２の機能を動作させるためのコマンドメニューを提供する録音音声転送モニタ４１も含む。録音音声転送モニタ４１は、オプションでは、コントローラ３２とともにオプションの音声認識モジュール６０によって処理される音声起動コマンドによっても動作する。ユーザインターフェース３０の録音音声転送モニタ４１はさらに、図１２に関連してより詳細に記載される。最後に、録音音声転送モニタ４１はユーザインターフェース３０の一部として示されるが、オプションでは、録音音声転送モニタ４１もオーディオレコーダ３４に組み込まれ、ユーザインターフェース３０によってアクセス可能である。
【００１７】
無線携帯電話１２のコントローラ３２は、ハードウエア、ソフトウエア、ファームウエア、あるいはこれらの組み合わせを含むことが好ましい。好適な一実施形態では、コントローラ３２は、シーケンスおよび論理動作を実行することができ、かつ情報を格納するためのメモリを含むことができる、マイクロプロセッサを備えるシステムを含む。コントローラ３２は、無線携帯電話１２の構成要素の相互動作を制御し、詳細には、ユーザインターフェース３０と協動して、内部メモリ５２および／または取出し可能記憶媒体２０への録音音声３６の記憶、およびそこからの転送を制御する。
【００１８】
無線携帯電話１２の無線トランシーバ３３によって、ネットワーク通信リンク１６、および無線電話ネットワークのような電気通信リンクを介して、無線携帯電話１２とコンピューティング装置１４（あるいは他の装置）との間で無線通信できるようになる。本明細書において用いられるようなネットワーク通信リンク１６は、インターネット通信リンク１８、イントラネット通信リンク、あるいは類似の高速通信リンクを含む。
【００１９】
また無線携帯電話１２（およびコンピューティング装置１４）の無線トランシーバ３３によって、ワイヤレス・アプリケーション・プロトコル（ＷＡＰ）、ブルートゥース、赤外線（ＩｒＤＡ、ＦＩＲ）、８０２．１１、および超広帯域（ＵＷＢ）のような他の既知の通信プロトコルを用いて、無線携帯電話１２とコンピューティング装置１４との間で短距離無線通信を行うこともできる。無線携帯電話１２およびコンピューティング装置１４はそれぞれ、無線トランシーバ３３のような、これらの通信プロトコルを実施するために当技術分野において知られている通信ハードウエアおよびソフトウエアを含む。赤外線（たとえば、ＦｉＲ）、ブルートゥース、および超広帯域（ＵＷＢ）のような無線通信プロトコルは直接無線リンク７６によって表され、それにより、ネットワークとは無関係に、およびネットワーク通信リンク１６とは無関係に動作する２つ以上の互換性のある装置間で、無線あるいはビームを用いて直接通信できるようになる。この機構によって、任意の通信媒介物を用いることなく、２つの同じように構成された装置間で、直接的な一対一通信が可能になる。ブルートゥースプロトコルの例では、互いに近接して各装置が単に存在することにより、通信リンクが確立されることが好ましい。
【００２０】
無線携帯電話１２のオーディオレコーダ３４は、音声入力３１からの音声信号を受信し、内部メモリ５２および／または取出し可能記憶媒体２０に録音音声３６として記録する。オーディオレコーダ３４はＡ／ＤおよびＤ／Ａコンバータ５０を含み、コンバータ５０は、アナログ音声信号をデジタル音声信号に、あるいはその逆に変換するように構成されるアナログ／デジタルおよびデジタル／アナログコンバータを含む。
【００２１】
無線携帯電話１２のオーディオレコーダ３４の内部メモリ５２はデジタル録音音声３６を格納し、図４〜図８に関連してさらに記載される原子分解能記憶（ＡＲＳ）素子５４、あるいは図９〜図１１に関連してさらに記載される磁気ランダムアクセスメモリ（ＭＲＡＭ）装置５６のような、低電力、小フォームファクタで、不揮発性、大容量のメモリユニットを含むことが好ましい。
【００２２】
無線携帯電話１２のメモリスロット５８は、取出し可能記憶媒体２０を収容するように構成される。取出し可能記憶媒体２０は、読出し／書込み可能（Ｒ／Ｗ）ＣＤ−ＲＯＭディスク、フレキシブルディスク、フラッシュメモリカード等のような、録音音声３６を格納することができる任意の形態の不揮発性で、携帯可能なコンピュータ読取り可能媒体を含む。また取出し可能記憶媒体２０は、オプションでは、原子分解能記憶（ＡＲＳ）素子５４あるいは磁気ランダムアクセスメモリ（ＭＲＡＭ）ユニット５６を組み込み、かつ／または含む。
【００２３】
無線携帯電話１２は、オプションでは音声認識モジュール６０を含み、音声認識モジュール６０は、音声入力３１からの音声信号を、無線携帯電話１２を動作させるためにコントローラ３２によって認識可能なテキストおよび／またはコマンドに変換する。
【００２４】
コンピューティング装置１４は、デスクトップコンピュータ、あるいは無線携帯電話１２から録音音声３６の転送を受信することができ、かつメモリ６８に録音音声３６を格納することができるポータブルコンピュータのような他の電子コンピューティング装置であることが好ましい。コンピューティング装置１４のユーザインターフェース６４は、オプションで録音音声転送モニタ４１を含む、録音音声３６の転送を処理するための、ユーザインターフェース３０と概ね同じ機構を含む。メモリ６８は、取出し可能記憶媒体２０を収容するためのメモリスロット７０を含む。転記機能７４を有する音声認識モジュール７２を用いて、録音音声３６をテキストファイルに変換することができる。無線トランシーバ３３は、無線携帯電話１２の無線トランシーバ３３と概ね同じ機構を含み、先に記載された伝送方法および／または通信プロトコルのうちの任意のものを用いて、コンピューティング装置と無線携帯電話１２との間で無線通信できるようにする。
【００２５】
システム１０は、オプションでは、第１の無線携帯電話１２からの録音音声の転送を受信するためのコンピューティング装置１４の代わりに、あるいはそれに加えて、さらに別の無線携帯電話１２を含む。
【００２６】
図２に示されるように、本発明の一実施形態による、無線携帯電話で録音音声を格納し、転送するための方法８０は、システム１０の無線携帯電話１２を利用する。方法８０は、無線携帯電話１２によって受信される音声信号を録音し、それを録音音声３６として無線携帯電話１２の内部メモリ５２および／または取出し可能記憶媒体２０に格納する第１のステップ８２を含む。ステップ８４では、録音音声が、第２の無線携帯電話８６、コンピューティング装置１４、電子ボイスメールシステム８８、個人情報端末（ＰＤＡ）９０、人手による転記場所９２、音声認識トランスクライバ９４、ウエブサイト９５のうちの任意の装置あるいは全ての装置を含む複数の外部の対象となる装置８５のうちの少なくとも１つに転送される。
【００２７】
対象となる各装置８５は、録音音声３６を格納するためのメモリを含み、無線伝送、有線伝送、ネットワーク伝送（ネットワーク通信リンク１６による）、および／または取出し可能記憶媒体２０を介して録音音声３６を受信することができる。詳細には、対象となる任意の１つの装置８５が、図１に示されるシステム１０内のコンピューティング装置１４の代わりに用いられることができる。第２の無線携帯電話８６は、無線携帯電話１２と概ね同じ機構および属性を含む。電子ボイスメールシステム８８によれば、デジタル録音音声３６を記憶および再生できるようになり、その音声は有線電話あるいは無線電話を介して回収することができる。個人情報端末９０はハンドヘルドコンピューティング装置であり、コンピューティング装置１４と概ね同じ機構および属性を含むことが好ましい。人手による転記場所９２は、録音音声３６のオーディオ再生を提供するための電子システムを含み、秘書あるいは転記担当者によって手作業で録音音声３６が転記されるようになる。音声認識トランスクライバ９４は、デジタル録音音声をワードプロセッサ、テキストエディタ、プリンタ、表示装置等によって用いるためのテキストファイルに電子工学的処理によって転記するための音声認識技術を含むコンピューティング装置を備える。ウエブサイト９５は、無線携帯電話１２から録音音声３６を書き込み、ダウンロードするためのワールド・ワイド・ウエブ上のサイトである。ウエブサイト９５は、無線携帯電話１２の多数のユーザが録音音声３６を格納し、ダウンロードできるようにするために、無線携帯電話１２のユーザによって制御され、かつ／または第三者のサービスプロバイダによって運用される。
【００２８】
方法８０のステップ８２は通常、無線携帯電話１２に音声入力された１人あるいは複数の人からの音声信号を記録することを含む。たとえば、ボイスパッドあるいはボイスレコーダとして用いられるとき、たった１人のユーザが無線携帯電話１２に音声を入力することができる。ユーザインターフェース３０のコントロールパネル４２を用いて、録音が停止および開始され、オプションでは音声認識モジュール６０を用いて、音声起動コマンドを介して制御が可能になる。別の例では、無線携帯電話１２を用いて、会議中に、ならびに多数の関係者との通話および／または電話会議中に数人の音声が録音される。音声入力３１および／または電話１２の受信信号（第２の無線携帯電話のような別の電気通信装置から無線携帯電話１２によって受信される音声信号）を通して電話１２によって受信される音声信号は、コントローラ３２によって、内部メモリ５２および／または取出し可能記憶媒体２０に転送されて記憶される。
【００２９】
方法８０のステップ８４は、格納された録音音声３６を無線携帯電話１２から外部の対象となる装置８５に転送することを含む。転送は少なくとも４つの方法でおこり得る。第一に、録音音声３６を含む取出し可能記憶媒体２０が無線携帯電話１２から取り出され、その後、外部の対象となる装置８５のうちの１つに挿入される。第二に、無線携帯電話１２の内部メモリ５２に格納された録音音声３６が無線リンク７６上で、第２の携帯電話８６のような外部の対象となる装置８５のうちの１つに無線で転送される。第三に、録音音声３６は、無線携帯電話１２の内部メモリ５２から直接有線リンク７８上で対象となる装置８５のうちの１つに転送される。第四に、録音音声３６は、無線携帯電話１２の内部メモリ５２からネットワーク通信リンク１６を介して外部の対象となる装置８５のうちの任意の装置に転送される。
【００３０】
録音音声が無線携帯電話１２に直接格納されるので、無線携帯電話１２を用いる方法８０によって、ユーザは無線電気通信ネットワーク（無線携帯電話１２にサービスを提供する）とは無関係に、録音音声３６を録音、格納および／または転送できるようになる。さらに、録音音声３６は、無線携帯電話１２の無線電気通信ネットワークを用いて、あるいは用いることなく転送可能である。さらに、録音音声３６は、無線携帯電話１２を通してユーザによって選択された外部の対象となる装置に転送される。最後に、ユーザは、無線携帯電話の他に個別の専用ボイスレコーダ（たとえば、ディクタフォン）を必要とすることなく、録音音声を作成し、処理する利便性を享受することができる。
【００３１】
本発明の別の例示的な実施形態では、システム９６が、一対の無線携帯電話１２、９６間の録音音声３６の転送を示す。各無線携帯電話１２、９６は、図１に関連して記載された無線携帯電話１２と概ね同じ機構および属性を含む。図３に示されるように、無線携帯電話１２、９６は少なくとも、ユーザインターフェース３０と、コントローラ３２と、無線トランシーバ３３と、メモリ５２およびスロット５８を備えるオーディオレコーダ３４とを含む。無線携帯電話１２、９６は、直接無線リンク７６あるいは直接リンク７８を介して通信することができる。
【００３２】
使用時に、無線携帯電話１２はユーザの音声信号を録音音声３６として録音し、その録音音声３６を内部メモリ５２および／または取出し可能記憶媒体２０に格納する。方法８０を用いて、録音音声３６は、リンク７６を介して無線で、あるいはリンク７８による有線伝送を通して、あるいは無線携帯電話１２から記憶媒体２０を取り出して無線携帯電話９６のメモリスロット５８に挿入することにより、無線携帯電話９６に転送される。
【００３３】
無線携帯電話１２の内部メモリ５２は、原子分解能記憶形式を含むいくつかのメモリ形式のうちの任意の形式を含む。内部メモリ５２の原子分解能記憶モジュール５４が図４〜図８に関連して詳細に記載される。図４〜図８は、内部メモリ５２において用いるように構成され、小さな記憶エリアに数メガバイトないし数ギガバイトの情報を格納することができる原子分解能記憶素子の例示的な一実施形態を開示する。原子分解能記憶素子のさらに詳細な説明については、ヒューレット・パッカード社に譲渡されたＧｉｂｓｏｎ他による「Ｕｌｔｒａ　Ｈｉｇｈ　Ｄｅｎｓｉｔｙ　ＳｔｏｒａｇｅＤｅｖｉｃｅ」という名称の米国特許第５，５５７，５９６号、および２０００年７月１７日に出願されたＳｉ−Ｔｙ　Ｌａｍ他による「Ｓｅｌｆ−Ａｌｉｇｎｅｄ　Ｅｌｅｃｔｒｏｎ　Ｓｏｕｒｃｅ　Ｄｅｖｉｃｅ」という名称の米国特許出願第０９／６１７，８７６号を参照されたい。
【００３４】
図４は、本発明による、オーディオレコーダ３４の内部メモリ５２において用いられる原子分解能記憶素子の例示的な一実施形態の側断面図を示す。図４に示されるように、ＡＲＳ記憶素子１００は、原子分解能記憶モジュール５４（図１に示す）の例示的な一実施形態である。記憶素子１００は、電子エミッタ１０２および１０４のような多数の電子エミッタと、記憶エリア１０８のような多数の記憶エリアを含む記憶媒体１０６と、超小型可動子１１０とを含む。超小型可動子１１０は、電子エミッタに対して記憶媒体１０６を、あるいは記憶媒体１０６に対して電子エミッタを走査する。好適な一実施形態では、各記憶エリアは１ビットの情報を格納するための役割を担う。
【００３５】
一実施形態では、電子エミッタは、非常に先鋭な先端部を有する先端エミッタである。別法では、他の電子エミッタ（たとえば、平坦電子エミッタあるいは平面電子エミッタ）が用いられる場合もある。各先端エミッタは、約１ナノメートルないし数百ナノメートルの曲率半径を有する場合がある。動作中に、電子エミッタとその対応するゲートとの間に、たとえば電子エミッタ１０２とその周囲を取り巻くゲート１０３との間に、予め選択された電位差がかけられる。エミッタの先端が先鋭であることに起因して、電子ビーム流がエミッタから記憶エリアに向けて抽出される。エミッタと記憶媒体１０６との間の距離、エミッタのタイプ、および必要とされるスポットサイズ（ビットサイズ）に応じて、電子ビームを集束するために電子光学系が用いられる場合がある。放出される電子を加速し、放出される電子を集束しやすくするために、記憶媒体１０６に電圧が印加される場合もある。
【００３６】
一実施形態では、筐体１２０が記憶媒体１０６を部分真空、たとえば少なくとも１０−５ｔｏｒｒに保持する。半導体処理技法を用いてそのようなタイプの微細加工された電子エミッタを真空空洞内に製造することが当技術分野において知られている。たとえば、ＩＥＥＥ　Ｔｒａｎｓａｃｔｉｏｎｓ　ｏｎ　Ｃｏｍｐｏｎｅｎｔｓ，　Ｈｙｂｒｉｄｓ　ａｎｄ　Ｍａｎｕｆａｃｔｕｒｉｎｇ　Ｔｅｃｈｎｏｌｏｇｙ（１５、１０５１ページ、１９９２年）に発表されたＪｏｎｅｓによる「Ｓｉｌｉｃｏｎ　Ｆｉｅｌｄ　Ｅｍｉｓｓｉｏｎ　Ｔｒａｎｓｉｓｔｏｒｓ　ａｎｄ　Ｄｉｏｄｅｓ」を参照されたい。
【００３７】
図４に示される実施形態では、各電子エミッタは対応する記憶エリアを有する。別の実施形態では、各電子エミッタは多数の記憶エリアに対して役割を担う。超小型可動子１１０が記憶媒体１０６を種々の場所に走査するのに応じて、各エミッタは種々の記憶エリア上に配置される。超小型可動子１１０を用いる場合、電子エミッタのアレイは記憶媒体１０６上を走査することができる。
【００３８】
後に記載されるように、電子エミッタは、それらが生成する電子ビームを用いて、記憶エリアに対して情報の読出しおよび書込みを行うための役割を担う。したがって、記憶素子１００において用いるのに適した電子エミッタは、記憶媒体上で所望のビット密度を達成するのに十分に細い電子ビームを生成することができ、かつ媒体に対して読出しおよび書込みを行うために必要とされる、異なる電力密度のビームを与えることができるタイプの電子エミッタである。そのような電子エミッタを形成するのに適した種々の方法が当技術分野において知られている。たとえば、１つの方法が、Ｊｏｕｒｎａｌ　ｏｆ　Ａｐｐｌｉｅｄ　Ｐｈｙｓｉｃｓ（Ｖｏｌ．　４７，　Ｎｏ．　１２，Ｄｅｃｅｍｂｅｒ　１９７６）において発表された、Ｓｐｉｎｄｔ等による「Ｐｈｙｓｉｃａｌ　Ｐｒｏｐｅｒｔｉｅｓ　ｏｆ　Ｔｈｉｎ−Ｆｉｌｍ　Ｆｉｅｌｄ　Ｅｍｉｓｓｉｏｎ　Ｃａｔｈｏｄｅｓ　Ｗｉｔｈ　Ｍｏｌｙｂｄｅｎｕｍ　Ｃｏｎｅｓ」に開示される。別の方法が、Ｔｅｃｈ．　Ｄｉｇｅｓｔ　４ｔｈ　Ｉｎｔ．　Ｖａｃｕｕｍ　Ｍｉｃｒｏｅｌｅｃｔｒｏｎｉｃｓ　Ｃｏｎｆ．（Ｎａｇａｈａｍａ、日本、２６ページ、１９９１年）に発表された、Ｂｅｔｓｕｉによる「Ｆａｂｒｉｃａｔｉｏｎ　ａｎｄ　Ｃｈａｒａｃｔｅｒｉｓｔｉｃｓ　ｏｆ　Ｓｉ　Ｆｉｅｌｄ　Ｅｍｉｔｔｅｒ　Ａｒｒａｙｓ」に開示される。
【００３９】
一実施形態では、ＸおよびＹの両方向において５〜５０マイクロメートルのエミッタピッチを有する、１００×１００エミッタのような２次元のエミッタのアレイを設けることができる。各エミッタは数万ないし数億の記憶エリアにアクセスする場合がある。たとえば、エミッタは、任意の２つの記憶エリア間で約１〜１００ナノメートルの周期性を有する記憶エリア上を走査する。また、そのエミッタは多重化して同時にあるいは順次にアドレス指定される場合がある。そのような並列アクセス方式は記憶素子のデータ速度を著しく高める。
【００４０】
図５は、記憶エリアの２次元のアレイおよびエミッタの２次元のアレイを有する記憶媒体１００の平面図である。記憶エリアをアドレス指定するために外部回路が必要とされる。外部回路の数を低減するための一実施形態は、記憶媒体を行１４０および１４２のような行に分離することであり、その場合に、各行は多数の記憶エリアを含む。各エミッタは多数の行に対して役割を担う。しかしながら、この実施形態では、各エミッタは、行の全長に対して役割を担わない。たとえば、エミッタ１０２は、行１４０ないし１４２、および列１４４ないし１４６内の記憶エリアに対して役割を担う。１つのエミッタによってアクセスされる記憶エリアの全ての行が１つの外部回路に接続される。１つの記憶エリアをアドレス指定するために、その記憶エリアに対して役割を担うエミッタが起動され、超小型可動子１１０（図６に示す）によって、そのエミッタが記憶エリアに動かされる。その記憶エリアが存在する記憶エリアの行に接続される外部回路が起動される。
【００４１】
超小型可動子１１０は種々の方法で形成されることもできるが、記憶エリアにわたって電子エミッタを配置するだけの十分な範囲と分解能とを持たなければならない。概念的な一例として、超小型可動子１１０は、標準的な半導体製造工程によって、筐体１２０に対してＸ方向およびＹ方向に記憶媒体１０６を走査するように製造される。
【００４２】
図６は図４の６−６断面の上面図であり、薄壁に微細加工された２組のビームによって保持される記憶媒体１０６を示す。第１の組の薄壁ビームの面は、１１２および１１４のようなＹ−Ｚ面内にある。薄壁ビーム１１２および１１４はＸ方向に曲げられる場合があり、記憶媒体１０６が筐体１２０に対してＸ方向に移動できるようにする。第２の組の薄壁ビームの面は、１１６および１１８のようなＸ−Ｚ面内にある。薄壁ビーム１１６および１１８によって、記憶媒体１０６が筐体１２０に対してＹ方向に移動できるようになる。記憶媒体１０６は第１の組のビームによって保持され、そのビームはフレーム１２２に接続される。フレーム１２２は第２の組のビームによって保持され、そのビームは筐体１２０に接続される。静電的手段、電磁的手段、圧電的手段、あるいは当技術分野において知られている他の手段によって、Ｘ−Ｙ方向に、電子エミッタが記憶媒体１０６上を走査するか、または記憶媒体１０６が電子エミッタ上を走査する。この例では、超小型可動子１１０は電子エミッタに対して記憶媒体１０６を動かす。そのような微細加工された超小型可動子の全般的な説明は、たとえば、Ｊａｅｃｋｌｉｎ他によってｔｈｅ　Ｐｒｏｃｅｅｄｉｎｇｓ　ｏｆ　ＭｉｃｒｏＥｌｅｃｔｒｏ　Ｍｅｃｈａｎｉｃａｌ　Ｓｙｓｔｅｍｓ　１９９２に発表された「Ｎｏｖｅｌ　Ｐｏｌｙｓｉｌｉｃｏｎ　Ｃｏｍｂ　Ａｃｔｕａｔｏｒｓ　ｆｏｒ　ＸＹ−ｓｔａｇｅ」、およびＨｏｗｅ他によってＩＥＥＥ　Ｓｐｅｃｔｒｕｍ（２９ページ、１９９０年の７月）に発表された「Ｓｉｌｉｃｏｎ　Ｍｉｃｒｏｍｅｃｈａｎｉｃｓ：　Ｓｅｎｓｏｒｓ　ａｎｄ　Ａｃｔｕａｔｏｒｓ　ｏｎ　ａ　Ｃｈｉｐ」に見出すことができる。
【００４３】
別の実施形態では、電子ビーム流を静電的に、あるいは電磁的に偏向することによって、たとえばエミッタ１０４に隣接して配置される静電偏向板あるいは電極１２５によって、電子ビーム流が記憶媒体１０６の表面上でラスター化される。電子ビーム流を偏向するための数多くの異なる手法を走査型電子顕微鏡に関する論文に見いだすことができ、本明細書ではこれ以上説明されないであろう。
【００４４】
一方法では、電子ビーム流の電力密度を一時的に増加し、記憶エリアの表面状態を変更することにより書込みが達成される。読出しは、電子ビームへの記憶エリアの作用、あるいは記憶エリアへの電子ビームの作用を観測することにより達成される。たとえば、変更されている記憶エリアはビット１を表すことができ、変更されていない記憶エリアはビット０を表すことができ、その逆も可能である。実際には、記憶エリアは種々の度合いに変更され、３ビット以上を表すことができる。変更は、永久的な場合もあれば、可逆的な場合もある。永久に変更される記憶媒体は追記型メモリ（ＷＯＲＭ）に適している。
【００４５】
一実施形態では、基本的な概念は、二次電子放出係数（ＳＥＥＣ）、後方散乱電子係数（ＢＥＣ）、あるいは記憶エリアから放射する二次電子あるいは後方散乱電子のための収集効率を変更するように記憶エリアの構造を変更することである。ＳＥＥＣは、各電子が媒体の表面上に入射する場合に、その媒体から生成される二次電子の数と定義される。ＢＥＣは、媒体から後方に散乱される入射電子の割合と定義される。二次電子／後方散乱電子のための収集効率は、電子収集器によって収集され、通常電流の形で指示される二次電子／後方散乱電子の割合である。
【００４６】
読出しは通常、低い電力密度の電子ビームが記憶媒体１０６に加えられる際に、二次電子および／または後方散乱電子を収集することにより達成される。読出し中に、電子ビームの電力密度は、書込みが行われることのないように十分に低く抑えられなければならない。
【００４７】
記憶媒体１０６の一実施形態は、電子ビームによってその構造状態が結晶から非晶質に変化することができる材料を含む。非晶質状態は結晶状態とは異なるＳＥＥＣおよびＢＥＣを有し、結果として、異なる数の二次電子および後方散乱電子が記憶エリアから放出される。二次電子および後方散乱電子の数を測定することにより、記憶エリアの段階を判定することができる。非晶質状態から結晶状態に変更するために、ビーム電力密度を高め、その後、それを徐々に減少させる。これにより非晶質が加熱され、その後、徐々に冷却されて、そのエリアがその結晶状態にアニールするだけの時間を有するようになる。結晶状態から非晶質状態に変更するために、ビーム電力密度が高いレベルまで高められ、その後、ビーム電力を急速に減少させる。記憶媒体から読出しを行うために、低エネルギービームが記憶エリアに衝当する。そのようなタイプの材料の一例には、テルル化ゲルマニウム（ＧｅＴｅ）、およびＧｅＴｅを基にした三元合金がある。加熱源としてレーザビームを用いて状態を変更するための類似の方法が、ＨｕｂｅｒおよびＭａｒｉｎｅｒｏによってＰｈｙｓｉｃｓ　Ｒｅｖｉｅｗ　Ｂ　３６（１５９５ページ、１９８７年）に発表された「Ｌａｓｅｒ−ｉｎｄｕｃｅｄ　Ｃｒｙｓｔａｌｌｉｚａｔｉｏｎ　ｏｆ　Ａｍｏｒｐｈｏｕｓ　ＧｅＴｅ：　Ａ　Ｔｉｍｅ−Ｒｅｓｏｌｖｅｄ　Ｓｔｕｄｙ」に記載されており、本明細書ではこれ以上説明されない。
【００４８】
記憶媒体１０６において状態変化を引き起こすための数多くの好適な方法が存在する。たとえば、孔あるいは隆起部などの媒体の微細構造の変化が、記憶媒体のＳＥＥＣおよびＢＥＣを変更することになる。通常それら係数が記憶エリアへの電子ビームの入射角に依存するので、この変更が生じる。材料特性の変化、バンド構造の変化、および結晶学的な変化もその係数に影響を及ぼす場合がある。またＢＥＣは原子番号Ｚにも依存する。したがって、好適な一記憶媒体は、高いＺの材料の層の上に低いＺの材料の層を有するか、あるいはその逆であり、電子ビームによって上側層のある部分を除去することにより書込みが達成される。
【００４９】
図７は、記憶媒体１０６から読出しを行う電子エミッタを概略的に示す。記憶エリア１５０の状態は変更されているが、記憶エリア１０８の状態は変更されていない。電子がある記憶エリアに衝当するとき、電子収集器１５２のような電子収集器によって、二次電子および後方散乱電子の両方が収集されるであろう。変更されているエリアは、変更されていないエリアと比べて、異なる数の二次電子および後方散乱電子を生成するであろう。その差は、材料のタイプおよび変更のタイプに応じて、大きい場合も小さい場合もある。電子収集器１５２によって収集される信号の大きさをモニタすることにより、その記憶エリアの状態、それゆえその記憶エリアに格納されるビットを特定することができる。
【００５０】
別の読出し手法では、ダイオード構造を用いて、記憶エリアの状態が判定される。この手法によれば、記憶媒体１５８は、たとえば、ｐ−ｎ接合、ショットキー、バリア、あるいはかなり多くの他のタイプの電子バルブを含むことができるダイオードとして構成される。図８は、そのような記憶媒体１５８の一例の構成を示す。別のダイオード構成（たとえば、米国特許第５，５５７，５９６号に示されるような構成）が実現可能であることは理解されよう。この図面に示されるように、記憶媒体１５８は２つの層１６０および１６２を有するダイオードとして構成される。一例として、層の一方がｐ形であり、他方がｎ形である。記憶媒体１５８は、記憶媒体に逆方向バイアスをかける外部回路１６４に接続される。この構成を用いる場合、変更された領域１６６によって生成される少数キャリアのための収集効率が、変更されない領域１６８の収集効率と異なるように記憶媒体１５８を局所的に変更することによりビットが格納される。少数キャリアのための収集効率は、媒体が外部回路１６４によってバイアスをかけられ、外部回路内に信号電流１７２が流れるようになる際に、記憶媒体１５８のダイオード接合１７０を通り抜けるその電子によって生成される少数キャリアの割合と定義することができる。
【００５１】
使用時に、電子エミッタ１５６が、記憶媒体１５８の表面上に電子の細いビーム１７４を放出し、その媒体の表面付近において電子−正孔対が励起される。媒体１５８は外部回路１６４によって逆方向バイアスをかけられるので、入射する電子によって生成される少数キャリアはダイオード接合１７０に向かって動かされる。その後、接合１７０に達した電子は接合を通り抜ける。したがって、接合１７０に達する前に多数キャリアと再結合しない少数キャリアが接合を通り抜け、それにより外部回路１６４内に電流が生じる。
【００５２】
上記のように、記憶媒体１５８の物理的な特性を局所的に変更するほど十分に電子ビームの電力密度を高めることにより、書込みが達成される。媒体１５８が図８に示されるように構成される場合、この変更は、同じエリアがより低い電力密度の読出し電子ビームを照射される際に接合１７０を通り抜ける少数キャリアの数に影響を及ぼす。たとえば、書き込まれた（すなわち、変更された）エリア１６６の再結合速度は、書き込まれていない（すなわち、変更されていない）エリア１６８に対して高めることができ、書き込まれたエリアにおいて生成される少数キャリアが、それらが接合１７０に到達し、通り抜ける機会を得る前に少数キャリアと再結合する確率が高くなる。それゆえ、書き込まれていないエリア１６８上に入射する場合よりも、読出し電子ビームが書き込まれたエリア１６６上に入射する場合に外部回路１６４内に流れる電流がより小さくなる。逆に、高い再結合速度を有するダイオード構造で開始し、再結合速度を局所的に減少することによりビットを書き込むこともできる。少数キャリアから生じる電流の大きさは、特定の記憶エリアの状態に依存し、電流は出力信号１７２を持続し、格納されたビットを指示する。
【００５３】
また、無線携帯電話１２のオーディオレコーダ３４の内部メモリ５２は、オプションでは、ＭＲＡＭメモリ素子５６としても具現化される。したがって、無線携帯電話１２のメモリ５２のＭＲＡＭメモリモジュール５６が図９〜図１１に関連して詳細に記載される。
【００５４】
ＭＲＡＭ素子はメモリセルのアレイを含む。通常の磁気メモリセルは、その層の磁化が変更可能である磁気薄膜の層と、その層内の磁化がある特定の方向に固定あるいは「ピン止め（ｐｉｎｎｅｄ）」された磁気薄膜の層とを含む。変更可能な磁化を有する磁気薄膜はデータ記憶層と呼ばれる場合があり、ピン止めされた磁気薄膜は基準層と呼ばれる場合がある。
【００５５】
導電性パターン（一般的にワード線およびビット線と呼ばれる）がメモリセルのアレイにわたって配線される。ワード線はメモリセルの行に沿って延在し、ビット線はメモリセルの列に沿って延在する。ワード線およびビット線の各交点に配置される各メモリセルは、磁化の向きとして情報ビットを格納する。通常、データ記憶層内の磁化の向きは、一般的に容易軸と呼ばれる、データ記憶層の軸に一致する。所望の論理状態に応じて、その容易軸に沿ったデータ記憶層内の磁化の向きを基準層内の磁化の向きに対して平行か、あるいは反平行かのいずれかの向きに反転させるために、外部磁界がかけられる。
【００５６】
各メモリセルの磁化の向きは、常に２つの安定した向きのうちの一方を示すであろう。これら２つの安定した向き、平行および反平行は、「１」および「０」の論理値を表す。選択されたメモリセルの磁化の向きは、選択されたメモリセルを横切るワード線およびビット線に電流を加えることにより変更される場合がある。その電流は磁界を生成し、それらが合成される際に、選択されたメモリセルの磁化の向きを平行から反平行に、あるいはその逆に切り替えることができる。
【００５７】
選択された磁気メモリセルは通常、その選択された磁気メモリセルで交差する特定のワード線およびビット線に電流を加えることにより書き込まれる。通常、特定のビット線に加えられる電流は、選択された磁気メモリセルの容易軸に概ね一致する磁界を生成する。容易軸に一致した磁界は縦方向書込み磁界と呼ばれる場合がある。特定のワード線に加えられる電流は一般的に、選択された磁気メモリセルの容易軸に概ね垂直な磁界を生成する。
【００５８】
選択された磁気メモリセルのみは、縦方向および垂直方向書込み磁界の両方を受けることが好ましい。その特定のワード線に結合される他の磁気メモリセルは一般的に、垂直方向書込み磁界のみを受ける。その特定のビット線に結合される他の磁気メモリセルは一般的に、縦方向書込み磁界のみを受ける。縦方向および垂直方向書込み磁界の大きさは通常、縦方向および垂直方向磁界の両方を受ける際に、選択された磁気メモリセルがその論理状態を切り替えるほど十分に高くなり、縦方向あるいは垂直方向のいずれか一方の磁界のみを受ける他の磁気メモリセルが切り替わらないほど十分に低くなるように選択される。
【００５９】
図９は簡略化されたＭＲＡＭアレイ２００の平面図である。アレイ２００は、メモリセル２２０と、ワード線２３０と、ビット線２３２とを備える。メモリセル２２０は、ワード線２３０とビット線２３２との各交点に配置される。最も一般的には、ワード線２３０およびビット線２３２は互いに直交するように配列され、メモリセル２２０は、図９ｂに示されるように、書込み線（２３０、２３２）の間に配置される。たとえば、ビット線２３２はメモリセル２２０上に配置されることができ、ワード線２３０は下側に配置されることができる。
【００６０】
図１０ａ〜図１０ｃは、単一のメモリセル２２０内に１ビットのデータを記憶することを示す。図１０ａでは、メモリセル２２０はアクティブ磁気データ薄膜２２２とピン止めされた磁気薄膜２２４とを含み、それらは誘電体領域２２６によって分離される。アクティブ磁気データ薄膜２２２内の磁化の向きは固定されず、矢印Ｍ１によって示される２つの安定した向きを示すことができる。一方、ピン止めされた磁気薄膜２２４は、矢印Ｍ２によって示される固定された磁化の向きを有する。アクティブ磁気データ薄膜２２２は、メモリセル２２０への書込み動作中に書込み線（２３０、２３２、図示せず）に加えられる電流に応答して、その磁界の向きを回転させる。メモリセル２２０に格納されるデータビットの第１の論理状態は、図１０ｂに示されるように、Ｍ１およびＭ２が互いに対して平行になるときに指示される。たとえば、Ｍ１およびＭ２が平行であるとき、メモリセル２２０に論理「１」状態が格納される。逆に、図１０ｃに示されるように、Ｍ１およびＭ２が互いに対して反平行であるとき、第２の論理状態が指示される。同じように、Ｍ１およびＭ２が反平行であるとき、メモリセル２２０に論理「０」状態が格納される。図１０ｂおよび図１０ｃでは、誘電体領域２２６は省略されている。図１０ａ〜図１０ｃは、ピン止めされた磁気薄膜２２４上に配置されるアクティブ磁気データ薄膜２２２を示すが、ピン止めされた磁気薄膜２２４をアクティブ磁気データ薄膜２２２上に配置することもできる。
【００６１】
メモリセル２２０の抵抗はＭ１およびＭ２の向きに応じて異なる。Ｍ１およびＭ２が反平行、すなわち論理「０」状態であるとき、メモリセル２２０の抵抗は最も高い状態にある。一方、Ｍ１およびＭ２が平行、すなわち論理「１」状態であるとき、メモリセル２２０の抵抗は最も低い状態にある。結果として、メモリセル２２０に格納されるデータビットの論理状態は、その抵抗を測定することにより判定することができる。メモリセル２２０の抵抗は、書込み線（２３０、２３２）に印加される読出し電圧に応答して流れるセンス電流２２３（図１０ａを参照）の大きさに反映される。
【００６２】
図１１では、メモリセル２２０は書込み線（２３０、２３２）間に配置される。アクティブおよびピン止めされた磁気薄膜（２２２、２２４）は図１１には示されない。アクティブ磁気データ薄膜２２２の磁化の向きは、磁界Ｈｙを生成する電流Ｉｘと、磁界Ｈｘを生成する電流Ｉｙとに応答して回転する。磁界ＨｘおよびＨｙは、メモリセル２２０の磁化の向きを回転させるように合成されて作用する。
【００６３】
図１２は録音音声転送モニタ４１を示しており、それはオプションではユーザインターフェース３０（図１に示す）の一部を構成する。録音音声転送モニタ４１は、表示装置４０上に現れ、無線携帯電話１２の動作を制御して、録音音声を生成および格納し、かつ／またはそれらを指示された対象となる装置に転送するのを容易にするグラフィカル・ユーザ・インターフェースである。録音音声転送モニタ４１は、録音機能３００と、記憶セレクタ３０２と、転送セレクタ３０４と、音声源セレクタ３０６と、音声ファイルマネージャ３０８と、対象装置セレクタ３１０とを含む。
【００６４】
録音音声転送モニタ４１の録音機能３００によって、内部メモリ５２および／または取出し可能記憶媒体２０（図１）に対する録音音声３６の録音、再生、記憶および消去の種々の機能を選択できるようになる。記憶セレクタ３０２によって、内部メモリ５２および／または取出し可能記憶媒体２０に対する録音音声３６の記憶および／または回収を指定できるようになる。
【００６５】
録音音声転送モニタ４１の転送セレクタ３０４は、短距離無線伝送（たとえば、ブルートゥース）、無線ネットワーク（たとえば、無線電気通信）、有線直接伝送（たとえば、直接結線）、および取出し可能記憶媒体（たとえば、無線携帯電話１２と外部の対象となる装置８５との間における取出し可能記憶媒体２０の移動）を含む、伝送あるいは転送方法を容易に選択できるようにする。
【００６６】
録音音声転送モニタ４１の音声源セレクタ３０６によって、無線携帯電話１２によって録音および／または転送されることになる音声入力の音声源を選択できるようになる。音声源は、ユーザの音声の録音、通話中の多数の音声、電話会議の音声化、およびメモリ（たとえば、内部メモリ５２、取出し可能記憶媒体２０）からの音声の利用を含む。
【００６７】
音声ファイルマネージャ３０８は、メモリ５２および／または取出し可能記憶媒体２０に格納される録音音声のファイルの指標を追跡する。これらの録音音声ファイルは、録音機能３００、転送セレクタ３０４、および／または記憶セレクタ３０２の機能のうちの任意の機能で用いるために選択されることができる。
【００６８】
最後に、録音音声転送モニタ４１は、無線携帯電話１２から録音音声３６を受信するための外部の対象となる装置８５（図２）を選択するための対象装置セレクタ３１０を含み、それらの装置は、限定はしないが、電話（たとえば、無線携帯電話８６）、個人情報端末（たとえば、ＰＤＡ９０）、およびボイスメール（たとえば、ボイスメールシステム８８）を含む。
【００６９】
【発明の効果】
本発明のシステムおよび方法は、無線携帯電話を用いて、その電話において録音音声を録音および格納し、その後、さらに記憶、再生および／または転記するためにその録音音声を対象となる装置に電子情報として転送することを含む。原子分解能記憶素子あるいはＭＲＡＭ素子のようなメモリユニットが、大容量、低電力、小スケールファクタのメモリユニットを提供することにより、この方法を容易にする。
【００７０】
その録音音声は無線携帯電話に直接格納されるので、そのシステムおよび方法によって、ユーザは、無線電気通信ネットワークとは無関係に録音音声を録音、格納および／または転送できるようになる。さらに、その録音音声は、無線携帯電話の無線電気通信ネットワークを用いて、あるいは用いることなく転送することができる。さらに、録音音声は、無線携帯電話を通してユーザによって選択された外部の対象となる装置に転送される。最後に、ユーザは、無線携帯電話の他に個別の専用のボイスレコーダ（たとえば、ディクタフォン）を必要とすることなく、録音音声を生成し、処理する利便性を享受する。
【００７１】
好適な実施形態を説明するために、本明細書において特定の実施形態が図示および記載されてきたが、本発明の範囲から逸脱することなく、多種多様な代替形態および／または等価な実施形態が、図示および記載された特定の実施形態の代わりに用いられる場合があることは、当業者であれば理解されよう。化学、機械、電気機械、電気、およびコンピュータ分野の熟練者であれば、本発明が非常に広範な実施形態において実施される場合があることは容易に理解されよう。本特許出願は、本明細書において説明される好適な実施形態の任意の適応形態あるいは変更形態を網羅することを意図している。それゆえ、本発明は請求の範囲およびその等価物によってのみ限定されることが明らかに意図されている。
【００７２】
以下に本発明の実施態様の例を列挙する。
〔実施態様１〕　無線携帯電話であって、
単一のハウジングを有し、該ハウジングは、
無線電気通信機構と、
音声信号を録音するように構成され、該音声信号を録音音声として格納するように構成され、該録音音声を外部の対象となる装置に直接転送するように構成されるオーディオレコーダとを備え、該オーディオレコーダは録音音声を格納するために、原子分解能記憶ユニットおよび磁気ランダムアクセスメモリユニットのうちの少なくとも１つを含む不揮発性メモリユニットを含む無線携帯電話。
〔実施態様２〕　無線携帯電話であって、
前記オーディオレコーダは録音音声転送モニタを備え、該録音音声転送モニタは、
短距離無線通信、無線ネットワーク通信、有線直接通信、および取り外し可能記憶媒体による転送のうちの少なくとも１つを含む転送経路を選択するように構成される転送セレクタと、
ユーザ、前記メモリユニット、電話会議、および多数ユーザ環境のうちの少なくとも１つから前記音声入力信号の音声源を選択するように構成される音声源セレクタと、
音声信号を録音する機能、録音音声を再生する機能、録音音声を消去する機能、および録音音声を格納する機能のうちの少なくとも１つを選択するように構成される録音機能と
のうちの少なくとも１つを含む実施態様１に記載の無線携帯電話。
〔実施態様３〕　無線携帯電話であって、
前記録音音声転送モニタは、
第２の無線携帯電話、コンピューティング装置、ボイスメールシステム、個人情報端末、人手による転記場所、音声認識トランスクライバおよびウエブサイトの装置のうちの少なくとも１つを含む前記外部の対象となる装置を選択するように構成される対象装置セレクタを含む実施態様１に記載の無線携帯電話。
〔実施態様４〕　無線携帯電話であって、
前記原子分解能記憶素子は、
複数の電子エミッタと、媒体区画を有する媒体と、複数の超小型可動子とを含み、該超小型可動子はそれぞれ、前記媒体においてデータの読出しおよび書き込みを行うために、１つあるいは複数の前記電子エミッタに対して１つの媒体区画を動かすように独立して動作することができる実施態様１に記載の無線携帯電話。
〔実施態様５〕　無線携帯電話であって、
前記磁気ランダムアクセスメモリ記憶素子はメモリセルのアレイを含み、該メモリセルは、
変更可能な磁化を有する磁気薄膜のデータ記憶層と固定された磁化を有する磁気薄膜の基準層とを含み、前記メモリセルの行に沿って延在する複数の導電性ワード線と前記メモリセルの列に沿って延在する複数の導電性ビット線とを含む実施態様１に記載の無線携帯電話。
〔実施態様６〕無線携帯電話であって、
前記携帯電話から外部の対象となる装置にデジタル録音音声を電子情報として転送するための手段を含む実施態様１に記載の無線携帯電話。
〔実施態様７〕　無線携帯電話であって、
前記無線携帯電話は前記音声信号を受信するための音声入力を含み、前記オーディオレコーダは、前記デジタル録音音声を格納するために、内部メモリユニットおよび取出し可能記憶媒体のうちの少なくとも１つを含む実施態様６に記載の無線携帯電話。
〔実施態様８〕　無線携帯電話であって、
前記ファイルを電子情報として転送するための手段は、
デジタル録音のための前記手段から前記外部の対象となる装置に前記デジタル録音音声を無線で転送するように構成される無線トランシーバを含む前記無線電気通信機構と、
デジタル録音のための前記手段から前記外部の対象となる装置に前記ファイルを直接転送するように構成される直接接続リンクと、
格納するための手段から取り出されるように構成され、前記外部の対象となる装置に挿入されるように構成される、前記デジタル録音音声を格納するための手段の取出し可能記憶媒体とのうちの少なくとも１つを含む実施態様６に記載の無線携帯電話。
〔実施態様９〕　実施態様１ないし８のいずれか一項に記載の無線携帯電話を用いる方法であって、該方法は、
音声信号を録音し、該音声信号を録音音声として無線携帯電話の内部メモリおよび取出し可能メモリユニットのうちの少なくとも１つに格納することと、
前記録音音声ファイルを前記無線携帯電話から外部の対象となる装置に電子情報として転送することとを含む方法。
〔実施態様１０〕　前記電子情報として転送することは、
前記録音された音声信号を、
前記録音音声を格納し、かつ電子工学的処理によって転記するように構成される音声認識トランスクライバと、
前記録音音声を人手で転記するために前記録音音声を格納し、かつ再生するように構成される転記場所と、
前記録音音声を格納し、かつ再生するように構成されるボイスメールシステムとのうちの少なくとも１つに無線で転送することを含み、
前記音声信号を録音することは、
メモリユニットを前記無線携帯電話に取出し可能に挿入し、前記メモリユニットに前記録音音声を格納することを含み、
前記録音音声を電子情報として転送することは、
前記無線携帯電話から前記メモリユニットを取り出し、前記メモリユニットを前記外部の対象となる装置に挿入することを含む実施態様９に記載の方法。
【図面の簡単な説明】
【図１】本発明の一実施形態による、無線携帯電話のための録音音声転送システムのブロック図である。
【図２】本発明の一実施形態による、無線携帯電話のための録音音声を処理する方法の流れ図である。
【図３】本発明の一実施形態による、一対の無線携帯電話のための録音音声転送システムのブロック図である。
【図４】本発明の一実施形態による、録音音声転送システムにおいて用いられる原子分解能記憶素子を示す側面図である。
【図５】図４に示される原子分解能記憶素子内に情報を格納する例示的な一実施形態を示す概略図である。
【図６】図４の線６−６に沿って見た、本発明の録音音声転送システムにおいて用いられる原子分解能記憶素子の例示的な一実施形態を示す平面図である。
【図７】図４の原子分解能記憶素子の記憶エリアから読出しを行う電子エミッタの例示的な一実施形態を示す図である。
【図８】本発明による、原子分解能記憶素子内の記憶エリアから読出しを行う電子エミッタの別の例示的な実施形態を示す図である。
【図９ａ】本発明の一実施形態による録音音声転送システムにおいて用いるためのＭＲＡＭアレイの平面図である。
【図９ｂ】本発明の一実施形態による録音音声転送システムにおいて用いるためのＭＲＡＭアレイの外形図である。
【図１０ａ】本発明の一実施形態による録音音声転送システムにおいて用いるための、アクティブ磁気薄膜および基準磁気薄膜の磁化の向きを示す、ＭＲＡＭメモリセルの外形図である。
【図１０ｂ】本発明の一実施形態による録音音声転送システムにおいて用いるための、アクティブ磁気薄膜および基準磁気薄膜の磁化の向きを示す、ＭＲＡＭメモリセルの側面図である。
【図１０ｃ】本発明の一実施形態による録音音声転送システムにおいて用いるための、アクティブ磁気薄膜および基準磁気薄膜の磁化の向きを示す、ＭＲＡＭメモリセルの側面図である。
【図１１】本発明の一実施形態による、録音音声転送システムにおいて用いるための、メモリセル、その書込み線、および書込み線内を流れる電流によって生成される磁界の外形図である。
【図１２】本発明の一実施形態による、録音音声転送モニタのブロック図である。
【図１】
2004088762.tif 000003
【図２】
2004088762.tif 000004
【図３】
2004088762.tif 000005
【図４】
2004088762.tif 000006
【図５】
2004088762.tif 000007
【図６】
2004088762.tif 000008
【図７】
2004088762.tif 000009
【図８】
2004088762.tif 000010
【図９ａ】
2004088762.tif 000011
【図９ｂ】
2004088762.tif 000012
【図１０ａ】
2004088762.tif 000013
【図１０ｂ】
2004088762.tif 000014
【図１０ｃ】
2004088762.tif 000015
【図１１】
2004088762.tif 000016
【図１２】
2004088762.tif 000017